(57)【要約】【課題】漏洩磁束を抑制しつつ、種々の使用環境化で安定した特性を維持できるスピンドルモータおよびこれを備えたディスク装置を提供する。【解決手段】ディスク装置は、ディスク状の記録媒体１２、記録媒体を支持しているとともに回転させるスピンドルモータ１３、ヘッド、ヘッドを移動自在に支持したヘッドアクチュエータ  を備えている。スピンドルモータは、ロータと、ベースに設けられロータを回転自在に支持した流体軸受け５５と、ロータに同軸的に固定された円筒状の磁石６２と、ベースに固定されロータの外側に円周方向に沿って設けられた環状のステータ５０と、磁気回路からの漏洩磁束を遮蔽する磁気シールド部材と、を具備している。磁気シールド部材は、ロータの回転軸と直交する方向に延びステータの上面部を覆った環状部７０ａと、ロータの回転軸に沿って延出し、ステータと磁石との対向領域を除いて、ロータの外周面と径方向に対向した円筒部７０ｂと、を有している。【選択図】      図２
2008141847.tif 000002
【特許請求の範囲】
【請求項１】
ロータと、
ベースに設けられ前記ロータを回転自在に支持した流体軸受けと、
前記ロータに同軸的に固定され前記ロータの外周面に露出しているとともに、円周方向に沿って並んで設けられた複数の磁極を有する円筒状の磁石と、
前記ベースに固定され前記ロータの外側に円周方向に沿って設けられ、前記ロータの磁石に対向した複数の磁極を有する環状のステータと、
前記ロータの回転軸と直交する方向に延び前記ステータの上面部を覆った環状部と、前記ロータの回転軸に沿って延出し、前記ステータと前記磁石との対向領域を除いて、前記ロータの外周面と径方向に対向した円筒部と、を有し磁気回路からの漏洩磁束を遮蔽する磁気シールド部材と、
を備えたスピンドルモータ。
【請求項２】
前記磁気シールド部材は、前記環状部と円筒部とを一体に有し磁性を有する板材により形成されたシールド板を有し、前記円筒部は、前記環状部の内周側から前記ロータの回転軸に沿って延出している請求項１に記載のスピンドルモータ。
【請求項３】
前記磁気シールド部材は、磁性を有する板材により形成され前記環状部を構成したシールド板と、前記ステータと前記磁石との対向領域を除いて、前記磁石の外周面に固定され前記円筒部を構成したシールドリングと、を有している請求項１に記載のスピンドルモータ。
【請求項４】
前記シールド板は、前記ロータの軸方向に沿って延び前記ステータの外周面と対向した外周部を有している請求項２又は３に記載のスピンドルモータ。
【請求項５】
前記ステータは、複数の金属板を積層して構成されたコアと、コアに巻装された複数のコイルと、を備え、前記コアの下層に位置した金属板は、前記ベース側に折曲げられているとともに前記ベースに係合して前記ステータを位置決めした位置決め片を有している請求項１に記載のスピンドルモータ。
【請求項６】
前記ステータは、複数の金属板を積層して構成されたコアと、コアに巻装された複数のコイルと、を備え、
前記複数の金属板の内、少なくとも積層方向で最下層より上に位置した金属板の外径が、この金属板より下層に位置する金属板の外径よりも大きく形成され、その下層に位置する金属板と共に、前記ベースに係合して前記ステータを位置決めする段部を形成している請求項１に記載のスピンドルモータ。
【請求項７】
前記ベースは、前記ステータと対向して設けられているとともにそれぞれ前記コイルを収容した複数の開口部を有している請求項５又は６に記載のスピンドルモータ。
【請求項８】
ベースを有した筐体と、
前記筐体内に設けられたディスク状の記録媒体と、
前記ベース上に設けられ、前記記録媒体を支持しているとともに回転させるスピンドルモータと、
上記記録媒体に対して情報の記録再生を行うヘッドと、
前記筐体内に設けられ、前記ヘッドを移動自在に支持しているとともに前記ヘッドを前記記録媒体に対して移動させるヘッドアクチュエータと、を備え、
ロータと、
ベースに設けられ前記ロータを回転自在に支持した流体軸受けと、
前記ロータに同軸的に固定され前記ロータの外周面に露出しているとともに、円周方向に沿って並んで設けられた複数の磁極を有する円筒状の磁石と、
前記ベースに固定され前記ロータの外側に円周方向に沿って設けられ、前記ロータの磁石に対向した複数の磁極を有する環状のステータと、
前記ロータの回転軸と直交する方向に延び前記ステータの上面部を覆った環状部と、前記ロータの回転軸に沿って延出し、前記ステータと前記磁石との対向領域を除いて、前記ロータの外周面と径方向に対向した円筒部と、を有し磁気回路からの漏洩磁束を遮蔽する磁気シールド部材と、を具備しているディスク装置。
【請求項９】
前記ヘッドアクチュエータは、前記ベース上に支持された軸受け部と、前記軸受け部により回動自在に支持されているとともに前記軸受け部から延出し前記磁気ヘッドを支持したサスペンションとを備えている請求項８に記載のディスク装置。
【請求項１０】
前記スピンドルモータは、前記流体軸受けに支持されたスピンドル軸と、前記スピンドル軸に固定され前記ロータを構成したハブと、を備え、前記記録媒体は、前記ハブに固定され前記スピンドル軸と同軸的に保持されている請求項８に記載のディスク装置。
【請求項１１】
前記磁気シールド部材は、前記環状部と円筒部とを一体に有し磁性を有する板材により形成されたシールド板を有し、前記円筒部は、前記環状部の内周側から前記ロータの回転軸に沿って延出している請求項８に記載のディスク装置。
【請求項１２】
前記磁気シールド部材は、磁性を有する板材により形成され前記環状部を構成したシールド板と、前記ステータと前記磁石との対向領域を除いて、前記磁石の外周面に固定され前記円筒部を構成したシールドリングと、を有している請求項８に記載のディスク装置。
【請求項１３】
ベースを有した筐体と、
前記筐体内に設けられたディスク状の記録媒体と、
前記ベース上に設けられ、前記記録媒体を支持しているとともに回転させるスピンドルモータと、
上記記録媒体に対して情報の記録再生を行うヘッドと、
前記筐体内に設けられ、前記ヘッドを移動自在に支持しているとともに前記ヘッドを前記記録媒体に対して移動させるヘッドアクチュエータと、を備え、
ロータと、
ベースに設けられ前記ロータを回転自在に支持した流体軸受けと、
前記ロータに同軸的に固定され前記ロータの外周面に露出しているとともに、円周方向に沿って並んで設けられた複数の磁極を有する円筒状の磁石と、
前記ベースに固定され前記ロータの外側に円周方向に沿って設けられ、前記ロータの磁石に対向した複数の磁極を有する環状のステータと、
上記ステータおよび磁石を覆って設けられ磁気回路からの漏洩磁束を遮蔽する磁気シールド部材と、を具備し、
前記ステータは、複数の金属板を積層して構成されたコアと、コアに巻装された複数のコイルと、を備え、前記コアの最下層に位置した金属板は、前記ベース側に折曲げられているとともに前記ベースに係合して前記ステータを位置決めした位置決め片を有しているディスク装置。
【発明の詳細な説明】
【技術分野】
【０００１】
この発明は、スピンドルモータ、並びに、このスピンドルモータおよび記録媒体としてのディスクを有したディスク装置に関する。
【背景技術】
【０００２】
近年、コンピュータの外部記録装置や画像、音楽の記録再生装置として磁気ディスク装置、光ディスク装置などのディスク装置が広く用いられている。  
例えば、磁気ディスク装置は、一般に、筐体内に配設された磁気ディスク、この磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。ヘッドアクチュエータは、ケースに取り付けられた軸受け部と、軸受け部に積層され軸受け部から延出した複数のアームと、を備え、各アームには、サスペンションを介して磁気ヘッドが取り付けられている。
【０００３】
一般に、インナーロータ型のスピンドルモータは、例えば、流体軸受けによって回転自在に支持されたロータ、および筐体のベース上に設けられロータの周囲に対向して位置した環状のステータを有している。例えば、ロータは複数の磁極を有する永久磁石を有し、ステータは、鉄心にコイルが巻装された複数の磁極を有している。ステータの磁極はロータの周囲に円周方向に沿って等間隔で配置されている。また、スピンドルモータは、ステータからの漏洩磁束をシールドするため、環状の平板シールド板を有し、この平板シールド板によりステータの上面部を覆っている（例えば、特許文献１参照）。
【特許文献１】特開２００５−１６０２０２号公報
【発明の開示】
【発明が解決しようとする課題】
【０００４】
近年、ディスク装置は、使用用途の多様化から、例えば、車載機器の記録装置として用いられているとともに、小型化の必要性も高まっている。ディスク装置に用いられるスピンドルモータは流体軸受を用いているものが多く、その構造上、軸受流体にオイルが使用されている。軸受オイルの粘性はスピンドルモータの使用環境によって変化し、スピンドルモータの特性に大きな影響を与える。そのため、このようなスピンドルモータは、車載機器として要求される低温起動温度範囲の達成が非常に難しくなる。この問題は、スペースの制限が厳しくなる小型のモータになるにつれてより明確になる。
【０００５】
上記のような低温環境での使用を考慮した場合、例えば、磁気回路を構成する磁石を大型化しスピンドルモータのトルクを上げることが有効であると考えられる。しかし、この場合、磁気回路部品がディスク装置内部に露出してくる。この場合、ステータ上面を覆うように設けられていた従来の平板シールド板では、磁気回路部からの漏洩磁束を十分にシールドすることが困難となる。漏洩磁束のシールドが不十分であると、ディスクに記録されたデータが消失する等の不具合が生じる。
【０００６】
この発明は以上の点に鑑みなされたもので、その目的は、漏洩磁束を抑制しつつ、種々の使用環境化で安定した特性を維持できるスピンドルモータおよびこれを備えたディスク装置を提供することにある。
【課題を解決するための手段】
【０００７】
上記目的を達成するため、この発明の態様に係るスピンドルモータは、ロータと、ベースに設けられ前記ロータを回転自在に支持した流体軸受けと、前記ロータに同軸的に固定され前記ロータの外周面に露出しているとともに、円周方向に沿って並んで設けられた複数の磁極を有する円筒状の磁石と、前記ベースに固定され前記ロータの外側に円周方向に沿って設けられ、前記ロータの磁石に対向した複数の磁極を有する環状のステータと、前記ロータの回転軸と直交する方向に延び前記ステータの上面部を覆った環状部と、前記ロータの回転軸に沿って延出し、前記ステータと前記磁石との対向領域を除いて、前記ロータの外周面と径方向に対向した円筒部と、を有し磁気回路からの漏洩磁束を遮蔽する磁気シールド部材と、を備えている。
【０００８】
この発明の他の態様に係るディスク装置は、ベースを有した筐体と、前記筐体内に設けられたディスク状の記録媒体と、前記ベース上に設けられ、前記記録媒体を支持しているとともに回転させるスピンドルモータと、上記記録媒体に対して情報の記録再生を行うヘッドと、前記筐体内に設けられ、前記ヘッドを移動自在に支持しているとともに前記ヘッドを前記記録媒体に対して移動させるヘッドアクチュエータと、を備え、  
前記スピンドルモータは、ロータと、前記ベースに設けられ前記ロータを回転自在に支持した流体軸受けと、前記ロータに同軸的に固定され前記ロータの外周面に露出しているとともに、円周方向に沿って並んで設けられた複数の磁極を有する円筒状の磁石と、前記ベースに固定され前記ロータの外側に円周方向に沿って設けられ、前記ロータの磁石に対向した複数の磁極を有する環状のステータと、前記ロータの回転軸と直交する方向に延び前記ステータの上面部を覆った環状部と、前記ロータの回転軸に沿って延出し、前記ステータと前記磁石との対向領域を除いて、前記ロータの外周面と径方向に対向した円筒部と、を有し磁気回路からの漏洩磁束を遮蔽する磁気シールド部材と、を具備している。
【発明の効果】
【０００９】
上記構成によれば、磁気回路の漏洩磁束を抑制しつつ、種々の使用環境化で安定した特性を維持できるスピンドルモータおよびこれを備えたディスク装置を提供することができる。
【発明を実施するための最良の形態】
【００１０】
以下図面を参照しながら、この発明のディスク装置をハードディスクドライブ（以下ＨＤＤと称する）に適用した第１の実施形態について詳細に説明する。  
図１は、ＨＤＤのトップカバーを取り外して内部構造を示している。図１に示すように、ＨＤＤは筐体１０を備えている。この筐体１０は、上面の開口した矩形箱状のベース１１と、図示しない矩形板状のトップカバーを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。ベース１１およびトップカバーは例えばアルミや鉄によって形成されている。
【００１１】
ベース１１上には、記録媒体としての磁気ディスク１２、磁気ディスクを支持および回転させるスピンドルモータ１３、磁気ディスクに対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータを回動および位置決めするボイスコイルモータ（以下ＶＣＭと称する）１６が配設されている。また、ベース１１上には、磁気ヘッド３３が磁気ディスクの最外周に移動した際、磁気ヘッドを磁気ディスクから離間した位置に保持するランプロード機構１８、ＨＤＤに衝撃等が作用した際、ヘッドクチュエータを退避位置に保持するイナーシャラッチ機構２０、およびプリアンプ等の電子部品が実装された基板ユニット１７が設けられている。
【００１２】
ベース１１の外面には、基板ユニット１７を介してスピンドルモータ１３、ＶＣＭ１６、および磁気ヘッド３３の動作を制御する図示しないプリント回路基板がねじ止めされ、ベース１１の底壁と対向して位置している。
【００１３】
磁気ディスク１２は、例えば、直径約２．５インチに形成され、上面および下面に磁気記録層を有している。磁気ディスク１２は、後述するスピンドルモータ１３のハブに互いに同軸的に嵌合されているとともにハブの上端にねじ止めされたクランプばね２１によりクランプされ、ハブに固定されている。磁気ディスク１２は、駆動モータとしてのスピンドルモータ１３により所定の速度、例えば、４２００ｒｐｍの速度で回転駆動される。
【００１４】
ヘッドアクチュエータ１４は、ベース１１の底壁上に固定された軸受け組立体２４を備えている。軸受け部として機能する軸受け組立体２４は、ベース１１の底壁に立設された枢軸と、枢軸に一対の軸受けを介して回転自在に支持された円筒形状のハブと、を有している。ヘッドアクチュエータ１４は、軸受け組立体のハブに取り付けられた２本のアーム２７、それぞれのアームから延出した２本のサスペンション３０、サスペンションの延出端に支持された磁気ヘッド３３を備えている。
【００１５】
各磁気ヘッド３３は、図示しないほぼ矩形状のスライダとこのスライダに形成された記録再生用のＭＲ（磁気抵抗）ヘッド素子とを有し、サスペンション３０の先端部に形成されたジンバル部に固定されている。各磁気ヘッド３３は、それぞれ図示しない中継フレキシブルプリント回路基板を介して後述するメインＦＰＣ３８に電気的に接続されている。
【００１６】
基板ユニット１７は、フレキシブルプリント回路基板（以下、ＦＰＣ）により形成され、ベース１１の底面上に固定されているとともに電子部品が実装されたＦＰＣ本体３６と、このＦＰＣ本体から延出したメインＦＰＣ３８とを有している。
【００１７】
２本のアーム２７は所定の間隔を置いて互いに平行に位置し、これらのアームに取り付けられたサスペンション３０および磁気ヘッド３３は、磁気ディスク１２を間に挟んで互いに向かい合って位置している。ＶＣＭ１６は、軸受け組立体２４からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよび一方のヨークに固定された磁石とともにＶＣＭ１６を構成している。
【００１８】
磁気ディスク１２を回転した状態でボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。一方の磁気ヘッド３３は、磁気ディスク１２の一方の表面とトップカバーとの間を移動され、他方の磁気ヘッド３３は、磁気ディスクの他方の表面とベース１１の底面との間を移動される。
【００１９】
次に、スピンドルモータ１３について詳細に説明する。  
図２は、ＨＤＤにおけるスピンドルモータ１３の断面を示し、図３は、スピンドルモータのステータおよび磁気シールド板を示している。
【００２０】
図２および図３に示すように、スピンドルモータ１３は、回転体としてのロータおよび固定体としてのステータ５０を備えている。スピンドルモータ１３は、ロータとして機能するハブ５２およびハブに固定されたスピンドル軸５４を備えている。ハブ５２は上端が閉塞された円筒形状に形成されている。スピンドル軸５４は、ハブの上端部に固定されハブと同軸的に延びている。スピンドル軸５４は、流体軸受け５５よりベース１１に対して回転自在に支持されている。
【００２１】
流体軸受け５５は、ベース１１に固定された円筒状の軸受スリーブ５７と、軸受スリーブの下端開口を閉塞したスラスト受け板５３とを有している。スピンドル軸５４は、その外面側に僅かな隙間をおいて軸受スリーブ５７内に挿通されている。軸受スリーブ５７の内面とスピンドル軸５４の外周面との隙間、およびスピンドル軸の下端面とスラスト受け板５３との隙間には、流体、例えば潤滑油が充填されている。また、スピンドル軸５４の外周面には、スピンドル軸が回転することによりラジアル方向の動圧を発生させる動圧発生溝、例えば、へリングボーン形状の溝が形成され、スピンドル軸の下端面には、スラスト方向の動圧を発生させる他の動圧発生溝が形成されている。
【００２２】
ハブ５２の外周面には円筒状の磁石６２が固定され、スピンドル軸５４と同軸的に位置している。磁石６２は、ハブ５２の外周面に露出しているとともに、ハブ５２の上端部から下端まで軸方向に沿って延びている。磁石６２は、円周方向に沿って交互に、かつ、等間隔を置いて形成された複数のＮ極およびＳ極を有している。ハブ５２の外周面上端部には環状のフランジ６５が一体に形成されている。更に、ハブ５２の上端周囲には磁気ディスク１２が同軸的に嵌合され、フランジ６５上に当接している。
【００２３】
ステータ５０は、ほぼ環状に形成されている。ステータ５０は、ベース１１上にスピンドル軸５４と同軸的に固定され、ハブ５２の外側に円周方向に沿って設けられている。ステータ５０は、複数枚の金属板６４を積層して形成されたコア５６と、コアに巻装された複数のコイル５８とを有し、これらコアおよびコイルにより複数の磁極６０を形成している。これらの磁極６０は、円周方向に沿って等間隔で設けられ、磁石６２の磁極と対向して位置している。
【００２４】
コア５６を構成した金属板６４は、それぞれ円弧状のフレーム部６４ａ、フレーム部からその中心に向かって延出した複数のコイル支持部６４ｂ、および各コイル支持部の延出端に形成された円弧状の係止部６４ｃを一体に備えている。金属板６４は、磁性材料、例えば、電磁鋼板によって形成されている。各コイル支持部６４ｂの積層部分に、コイル５８が巻装されている。
【００２５】
ベース１１の底壁には円形の凹所４６が形成され、ステータ５０はこの凹所４６内に配置されている。この際、ステータ５０はその外周面が、凹所４６を規定している段部４６ａと係合することにより、所定の位置に位置決めされている。これにより、コア５６の各係止部６４ｃは、磁石６２の外周面の内、ほぼ下半分の領域と隣接対向している。
【００２６】
また、凹所４６内において、ベース１１の底壁には複数の開口４７が形成されている。ステータ５０の各コイル５８の内、ベース１１側に位置した端部は、対応する開口４７内に位置している。
【００２７】
図２および図３に示すように、スピンドルモータ１３は、磁石６２およびステータ５０を含む磁気回路からの漏洩磁束を遮蔽する磁気シールド部材を備えている。本実施形態において、磁気シールド部材は、磁気シールド板７０により構成されている。磁気シールド板７０は、磁性を有する板材、例えば、ステンレス板により形成されている。磁気シールド板７０は、平坦な環状部７０ａ、環状部の内周縁から上方に延出した円筒状の円筒部７０ｂ、環状部の外周縁から下方に延出した円筒状の外周部７０ｃ、および外周部の下端縁から延出した環状のフランジ部７０ｄを一体に有している。環状部７０ａ、円筒部７０ｂ、外周部７０ｃ、およびフランジ部７０ｄは同軸的に形成され、円筒部７０ｂおよび外周部７０ｃは、環状部７０ａに対して垂直に延出している。
【００２８】
磁気シールド板７０は、そのフランジ部７０ｄがベース１１の底面に固定、又は環状部７０ａがコイル５８に固定され、ハブ５２の外周側にハブと同軸的に配設されている。環状部７０ａは、ハブ５２の回転軸と直交する方向に延びステータ５０の上面部を覆っている。円筒部７０ｂは、ハブ５２の回転軸方向に沿って上方に延出し、磁石６２の上半部に隣接対向して位置し、磁石６２の上半部を外側から覆っている。すなわち、円筒部７０ｂは、ステータ５０と磁石６２との対向領域を除いて、ハブ５２の外周面と径方向に対向して設けられている。  
磁気シールド板７０の外周部７０ｃは、ステータ５０の外周面に隣接対向し、ステータ５０の外周部を覆っている。
【００２９】
以上のように構成されたＨＤＤによれば、スピンドルモータ１３のステータコアを大型化できるとともに、磁石６２を、ハブ５２の軸方向に沿った長さとほぼ等しい長さまで大型化することができる。そのため、磁気回路として磁石６２とステータ５０との対向面積を増加させることができ、モータのトルクを向上させることが可能となる。また、磁石６２側の磁化を強くする、すなわち、飽和磁化を大きくすることで、モータのトルクを一層向上させることができる。同一材料のマグネットを使用する場合、本実施形態のように、その体積が大きい方が有利となる。ステータの場合、大型化は積層板厚のアップまたは積層枚数の増加などとなる。上記のように、スピンドルモータ１３のトルク向上を図ることにより、低温環境を含む広い温度環境範囲で安定して使用できるスピンドルモータおよびこれを備えたディスク装置を提供することができる。
【００３０】
また、ステータおよび磁石６２を大型化した場合でも、磁気シールド板７０の環状部７０ａ、円筒部７０ｂおよび外周部７０ｃによってステータ５０および磁石６２を覆うことにより、これらの磁気回路からの漏洩磁束を充分に遮蔽することができ、磁気ディスク１２への漏洩磁束の悪影響を防止することができる。これにより、漏洩磁束を抑え且つ磁気回路を大型化したスピンドルモータおよびこれを備えたディスク装置を提供することができる。
【００３１】
次に、この発明の第２の実施形態に係るスピンドルモータを備えたＨＤＤについて説明する。  
図４に示すように、第２の実施形態によれば、スピンドルモータ１３の磁気シールド部材は、磁気シールド板およびシールドリングを組み合わせて構成されている。磁気シールド板７０は、磁性を有する板材、例えば、ステンレス板により形成されている。磁気シールド板７０は、円筒部を除いて第１の実施形態と同様に構成されている。すなわち、磁気シールド板７０は、平坦な環状部７０ａ、環状部の外周縁から下方に延出した円筒状の外周部７０ｃ、および外周部の下端縁から延出した環状のフランジ部７０ｄを一体に有している。
【００３２】
磁気シールド板７０は、そのフランジ部７０ｄがベース１１の底面に固定、又は環状部７０ａがコイル５８に固定され、ハブ５２の外周側にハブと同軸的に配設されている。環状部７０ａは、ハブ５２の回転軸と直交する方向に延びステータ５０の上面部を覆っている。外周部７０ｃは、ステータ５０の外周面に隣接対向し、ステータ５０の外周部を覆っている。
【００３３】
シールドリング７３は、磁性を有する材料、例えば、ステンレスにより円筒状に形成されている。シールドリング７３は、磁石６２の上半部の外周面に固定され、磁石６２の上半部を外側から覆っている。すなわち、シールドリング７３は、磁気シールド部材の円筒部７０ｂを構成し、ステータ５０と磁石６２との対向領域を除いて、ハブ５２の外周面と径方向に対向している。
【００３４】
第２の実施形態において、ＨＤＤの他の構成は前述した第１の実施形態と同一であり、同一の部分には同一の参照符号を付してその詳細な説明を省略する。上記のように構成された第２の実施形態においても、前述した第１の実施形態と同様に、磁気回路からの漏洩磁束を抑え、かつ、磁気回路を大型化したスピンドルモータおよびこれを備えたディスク装置を提供することができる。
【００３５】
次に、この発明の第３の実施形態に係るスピンドルモータを備えたＨＤＤについて説明する。以下、第１の実施形態と異なる部分のみを詳細に説明し、第１の実施形態と同一の部分は同一の参照符号を付してその詳細な説明を省略する。
【００３６】
図５に示すように、第３の実施形態によれば、ステータ５０は、複数の金属板６４を積層して構成されたコア５６と、コアに巻装された複数のコイル５８と、を備えている。コア５６の下層、例えば、最下層に位置した金属板６４は、その外周部が筐体１０のベース１１側に折曲げられ位置決め片６７を形成している。ステータ５０は、その外周面および位置決め片６７が、ベース１１の凹所４６を規定している段部４６ａと係合し、更に、位置決め片６７の延出端が凹所４６の底面に当接した状態で、所定の位置に位置決めされている。
【００３７】
これにより、コア５６は、その下面が凹所４６の底面、つまり、ベース１１の底面から隙間Ｂを置いて位置決め固定されている。コア５６は、磁石６２の外周面の内、軸方向の中央部と隣接対向している。
【００３８】
磁気シールド板７０は、磁性を有する板材、例えば、ステンレス板により形成されている。磁気シールド板７０は、平坦な環状部７０ａ、環状部の内周縁から上方に延出した円筒状の円筒部７０ｂ、環状部の外周縁から下方に延出した円筒状の外周部７０ｃ、および外周部の下端縁から延出した環状のフランジ部７０ｄを一体に有している。磁気シールド板７０は、そのフランジ部７０ｄがベース１１の底面に固定、又は環状部７０ａがコイル５８に固定され、ハブ５２の外周側にハブと同軸的に配設されている。環状部７０ａは、ハブ５２の回転軸と直交する方向に延びステータ５０の上面部を覆っている。円筒部７０ｂは、ハブ５２の回転軸方向に沿って上方に延出し、ステータ５０と磁石６２との対向領域を除いて、ハブ５２の外周面と径方向に対向して設けられている。外周部７０ｃは、ステータ５０の外周面に隣接対向し、ステータ５０の外周部を覆っている。
【００３９】
上記のように構成された第３の実施形態においても、前述した第１の実施形態と同様に、磁気回路からの漏洩磁束を抑え、かつ、磁気回路を大型化したスピンドルモータおよびこれを備えたディスク装置を提供することができる。また、スピンドルモータ１３のコア５６に位置決め片６７を設けることにより、ベース１１とステータ５０の締結を強固し、更に、コア５６の取付け位置を上げ、ベース底面との間に隙間Ｂを形成することが可能となる。この場合、コイル５８の収容空間として使用できる領域を広げることが可能となる。これによって、コイル巻線径を増大して抵抗値の低減を図ることができ、あるいは、コイルの巻線数を増加することが可能となる。その結果、モータのトルク増を図り、モータ特性の向上を図ることができる。ＨＤＤの外観形状を変えることなく、共通の部品を使用しつつ、ステータ取り付け位置を自由に設定することができる。
【００４０】
図６に示す第４の実施形態によれば、コア５６の固定構造として、コアの外周部に段部が形成されている。すなわち、ステータ５０のコア５６を構成している金属板６４の内、少なくとも積層方向で最下層より上に位置した金属板、例えば、中間層に位置した金属板の外径が、この金属板より下層に位置する金属板の外径よりも大きく形成され、その下層に位置する金属板共に、段部７４を形成している。そして、ステータ５０は、コア５６の段部７４が、ベース１１の凹所４６を規定している段部４６ａと係合し状態で、所定の位置に位置決めされている。これにより、コア５６は、その下面が凹所４６の底面、つまり、ベース１１の底面から隙間を置いて位置決め固定されている。コア５６は、磁石６２の外周面の内、軸方向の中央部と隣接対向している。
【００４１】
図７に示す第５の実施形態によれば、ステータ５０のコア５６を構成している金属板６４の内、積層方向上層部に位置した複数枚の金属板は、その外径が他の金属板の外径よりも大きく形成され、他の金属板と共に、段部７４を形成している。そして、ステータ５０は、コア５６の段部７４が、ベース１１の凹所４６を規定している段部４６ａと係合し状態で、所定の位置に位置決めされている。これにより、コア５６は、その下面が凹所４６の底面、つまり、ベース１１の底面から隙間を置いて位置決め固定されている。コア５６は、磁石６２の外周面の内、軸方向の中央部と隣接対向している。
【００４２】
図８に示す第６の実施形態によれば、ステータ５０のコア５６を構成している金属板６４の内、積層方向上層部に位置した複数枚の金属板は、その外径が他の金属板の外径よりも大きく形成され、他の金属板と共に、段部７４を形成している。更に、コア５６の最下層に位置した金属板６４は、その外周部が筐体１０のベース１１側に折曲げられ位置決め片６７を形成している。ステータ５０は、コア５６の段部７４が、ベース１１の凹所４６を規定している段部４６ａと係合し状態で、また、位置決め片６７の延出端が凹所４６の底面に当接した状態で、所定の位置に位置決めされている。これにより、コア５６は、ベース１１の底面から隙間を置いて位置決め固定されている。コア５６は、磁石６２の外周面の内、軸方向の中央部と隣接対向している。
【００４３】
上述した第４、第５、第６の実施形態において、磁気シールド板７０を含むスピンドルモータ１３の他の構成は第３の実施形態と同一であり、同一の部分には同一の参照符号を付してその詳細な説明を省略した。そして、第４、第５、第６の実施形態においても、前述した第３の実施形態と同様の作用効果を得ることができる。
【００４４】
前述した第３ないし第６の実施形態において、ステータ５０の下面とベース１１の底面との間にコイルを収納可能な隙間を設けることができる。そのため、図９に示すように、ベース１１の底壁に形成されていたコイル収納用の開口４７を省略してもよい。この場合、筐体１０全体の剛性を上げることができ、振動、衝撃に対するＨＤＤの耐力を向上させることが可能となる。
【００４５】
また、上述したスピンドルモータ１３によれば、必要に応じてハブ５２の軸方向に沿った力をハブに発生させる場合、例えば、図５に示したように、磁石の軸方向中心とステータのコア５６の軸方向中心とを軸方向に所定量ずらして配置する。これにより、磁気的に発生する力として任意に制御された力をハブに作用させることができる。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４７】
例えば、この発明のディスク装置は、ディスク径が２．５インチのものに限らず、例えば、ディスク径が１インチ、あるいは１．８インチなどのディスク装置にも適用可能である。磁気ディスクおよび磁気ヘッドの数は、上述した実施形態に限らず、必要に応じて増加可能である。また、筐体、コア、磁気シールド板等、各構成部材の材質は、上述した実施形態に限らず、種々選択可能である。
【図面の簡単な説明】
【００４８】
【図１】図１は、この発明の第１の実施形態に係るＨＤＤの内部構造を示す斜視図。
【図２】図２は、前記ＨＤＤのスピンドルモータ部分を示す断面図。
【図３】図３は、前記スピンドルモータのステータおよび磁気シールド板を示す分解斜視図。
【図４】図４は、この発明の第２の実施形態に係るＨＤＤのスピンドルモータ部分を示す断面図。
【図５】図５は、この発明の第３の実施形態に係るＨＤＤのスピンドルモータ部分を示す断面図。
【図６】図６は、この発明の第４の実施形態に係るＨＤＤのスピンドルモータ部分を示す断面図。
【図７】図７は、この発明の第５の実施形態に係るＨＤＤのスピンドルモータ部分を示す断面図。
【図８】図８は、この発明の第６の実施形態に係るＨＤＤのスピンドルモータ部分を示す断面図。
【図９】図８は、この発明の他の実施形態に係るＨＤＤのスピンドルモータ部分を示す断面図。
【符号の説明】
【００４９】
１０…筐体、  １１…ベース、  １２…磁気ディスク、  １３…スピンドルモータ、
３３…磁気ヘッド、  １４…ヘッドアクチュエータ、  １６…ＶＣＭ、
４６…凹所、  ４６ａ…段部、  ５０…ステータ、  ５２…ハブ（ロータ）、
５４…スピンドル軸、  ５５…流体軸受け、５６…コア、  ５８…コイル、
６０…磁極、  ６２…磁石、  ６４…金属板、  ６４ａ…位置決め片、
７０…磁気シールド板、  ７０ａ…環状部、  ７０ｂ…円筒部、  ７０ｃ…外周部、
７３…シールドリング、  ７４…段部
【図１】
2008141847.tif 000003
【図２】
2008141847.tif 000004
【図３】
2008141847.tif 000005
【図４】
2008141847.tif 000006
【図５】
2008141847.tif 000007
【図６】
2008141847.tif 000008
【図７】
2008141847.tif 000009
【図８】
2008141847.tif 000010
【図９】
2008141847.tif 000011